(57)【要約】【課題】電子機器の筐体への取り付けが容易でありかつ抜けにくい支持体を提供する。【解決手段】電子機器１の筐体５、７の開口７０に取り付けられる支持体１０であって、この支持体１０は、凹部２２を有し、凹部の開口面が筐体５、７の内側を向くように開口７０に嵌め込み可能な弾性の第１部材２０と、第１部材２０の凹部２２に嵌め込み可能な凸部４２を有する第２部材４０と、を備える。【選択図】図３
2018046111.tif 000002
【特許請求の範囲】
【請求項１】
電子機器の筐体の開口に取り付けられる支持体であって、
凹部を有し、前記凹部の開口面が前記筐体の内側を向くように前記開口に嵌め込み可能な弾性の第１部材と、
前記第１部材の前記凹部に嵌め込み可能な凸部を有する第２部材と、
を備える支持体。
【請求項２】
前記第１部材は、前記筐体の前記開口を画定する縁部に当接するフランジを有する、請求項１に記載の支持体。
【請求項３】
前記筐体の前記開口を画定する縁部には突出部が設けられており、前記第１部材は、前記突出部に係合する溝を有する、請求項１または請求項２に記載の支持体。
【請求項４】
前記第２部材の前記凸部は、前記凹部の少なくとも前記溝に対向する位置まで嵌め込み可能である、請求項３に記載の支持体。
【請求項５】
前記第２部材の前記凸部は、前記第１部材の前記凹部と略同一の相補的形状を有する、請求項１から請求項４のいずれか一項に記載の支持体。
【請求項６】
前記第２部材の前記凸部を前記第１部材の前記凹部に嵌め込んだ際に、前記第１部材の前記凹部と前記第２部材の前記凸部との間に空隙部が形成される、請求項１から請求項４のいずれか一項に記載の支持体。
【請求項７】
前記第２部材の前記凸部には、前記凹部に接触するリブが設けられている、請求項１から請求項６のいずれか一項に記載の支持体。
【請求項８】
前記第１部材の前記凹部又は前記第２部材の前記凸部には、前記支持体の外部に連通する連通部が設けられている、請求項１から請求項７のいずれか一項に記載の支持体。
【請求項９】
前記第１部材と前記第２部材とを連結する連結部材を有する、請求項１から請求項８のいずれか一項に記載の支持体。
【請求項１０】
前記連結部材は折り曲げ可能であり、前記連結部材を折り曲げた際に、前記第１部材の凹部に前記第２部材の凸部を嵌め込み可能である、請求項９に記載の支持体。
【請求項１１】
前記第１部材、前記第２部材及び前記連結部材は、一体成形品である、請求項９又は請求項１０に記載の支持体。
【請求項１２】
前記第１部材及び前記第２部材の少なくとも一方は、前記第２部材の前記凸部を前記第１部材の前記凹部にはめ込んだ状態で、前記連結部材を収容する収容部を有する、請求項９から請求項１１のいずれか一項に記載の支持体。
【請求項１３】
開口を有する筐体と、
支持体と、を備え、
前記支持体は、
凹部を有し、前記凹部の開口面が前記筐体の内側に向けられた状態で前記開口に嵌め込まれている弾性の第１部材と、
前記第１部材の前記凹部に嵌め込まれている凸部を有する第２部材と、を備える
電子機器。
【請求項１４】
電子機器の製造方法であって、
前記電子機器は、
開口を有する筐体と、
凹部を有する弾性の第１部材と、前記凹部に嵌め込み可能な凸部を有する第２部材とを含む支持体とを備え、
前記第１部材の前記凹部の開口面を前記筐体の内側に向けつつ前記第１部材を前記開口に嵌め込む工程と、
前記第１部材の前記凹部に前記第２部材の前記凸部を嵌め込む工程と、
を含む電子機器の製造方法。
【発明の詳細な説明】
【技術分野】
【０００１】
本発明は、支持体、電子機器及びその製造方法に関する。
【背景技術】
【０００２】
一般に、ノートパソコン等の電子機器の筐体底面には、電子機器の滑り、がたつき防止及び衝撃吸収等を目的として、ゴム脚等の支持体が取り付けられている（例えば、特許文献１）。
【先行技術文献】
【特許文献】
【０００３】
【特許文献１】特開２００３−１６７６４４号公報
【発明の概要】
【発明が解決しようとする課題】
【０００４】
しかし、このようなゴム脚の筐体表面への取り付けは、両面テープや接着剤により行われている。または、筐体底面の孔等にゴム脚の一部を熱融着等させて取り付けられている。そのため、時間の経過とともにゴム脚と筐体底面との接着が弱まり、ゴム脚が剥がれてしまう場合がある。また、ゴム脚の筐体底面への取り付け作業が煩雑になっていた。
【０００５】
そこで、本発明は、電子機器の筐体への取り付けが容易でありかつ抜けにくい支持体、電子機器及びその製造方法を提供することを目的とする。
【課題を解決するための手段】
【０００６】
上記目的を達成するために、一態様の支持体は、電子機器の筐体の開口に取り付けられる支持体であって、凹部を有し、凹部の開口面が筐体の内側を向くように開口に嵌め込み可能な弾性の第１部材と、第１部材の凹部に嵌め込み可能な凸部を有する第２部材と、を備える。
【０００７】
一態様の電子機器は、開口を有する筐体と、支持体と、を備え、支持体は、凹部を有し、凹部の開口面が筐体の内側に向けられた状態で開口に嵌め込まれている弾性の第１部材と、第１部材の凹部に嵌め込まれている凸部を有する第２部材と、を備える。
【０００８】
一態様の電子機器の製造方法は、電子機器は、開口を有する筐体と、凹部を有する弾性の第１部材と、凹部に嵌め込み可能な凸部を有する第２部材とを含む支持体とを備え、第１部材の凹部の開口面を筐体の内側に向けつつ第１部材を開口に嵌め込む工程と、第１部材の凹部に第２部材の凸部を嵌め込む工程と、を含む。
【０００９】
これらの態様によれば、電子機器の筐体の開口に支持体を取り付ける際は、まず支持体の第１部材が、その凹部の開口面が筐体の内側を向くようにして開口に嵌め込まれる。第１部材は弾性でありかつ凹部を有するので、凹部が狭まる方向に弾性変形して開口に容易に嵌め込むことができる。次に、この凹部に支持体の第２部材の凸部が嵌め込まれる。このように、第１部材の開口への嵌め込みと、第２部材の凸部の第１部材の凹部への嵌め込みという簡易な作業で筐体へ支持体を取り付けることができる。
【００１０】
取り付け後は、第１部材の凹部の開口面は筐体の内側を向いているので、第１部材の凹部の反対側の面が筐体の外側を向いて配置される。そして第１部材は弾性であるので、筐体をクッション的に支持する。例えば、筐体の滑り止め、がたつき防止又は衝撃吸収作用を発揮する。
【００１１】
加えて、第２部材の凸部が第１部材の凹部に嵌め込まれた後は、凹部が狭まる方向での第１部材の弾性変形を第２部材の凸部が抑制するので、筐体に嵌め込まれた第１部材が開口から抜け落ちることを抑制できる。
【発明の効果】
【００１２】
電子機器の筐体への取り付けが容易でありかつ抜けにくい支持体、電子機器及びその製造方法を提供することができる。
【図面の簡単な説明】
【００１３】
【図１】第１実施形態にかかる支持体を備えた電子機器の斜視図である。
【図２】図１の電子機器の蓋体を閉じて底面側からみた斜視図である。
【図３】図１の支持体を説明するための模式図であり、（Ａ）は平面図、（Ｂ）は正面図、（Ｃ）は左側面図である。
【図４】図３の支持体を同電子機器の筐体の開口へ嵌め込む前の状態を説明するための模式図であり、（Ａ）は斜視図、（Ｂ）は断面図である。
【図５】図３の支持体の第１部材を同開口へ嵌め込んだ状態を説明するための模式図であり、（Ａ）は斜視図、（Ｂ）は断面図である。
【図６】図３の支持体の第２部材の凸部を第１部材の凹部に嵌め込んだ状態を説明するための模式図であり、（Ａ）は斜視図、（Ｂ）は断面図である。
【図７】第２実施形態にかかる支持体を説明するための模式図であり、（Ａ）は平面図、（Ｂ）は正面図、（Ｃ）は左側面図である。
【図８】図７の支持体の第２部材の凸部を第１部材の凹部に嵌め込んだ状態を説明するための模式図であり、（Ａ）は斜視図、（Ｂ）は断面図である。
【図９】変形例にかかる支持体を模式的に示した平面図である。
【図１０】変形例にかかる支持体を模式的に示した平面図である。
【図１１】変形例にかかる支持体を模式的に示した正面図である。
【発明を実施するための形態】
【００１４】
添付図面を参照して、本発明の好適な実施形態について説明する。本発明の支持体は、例えば、ノートブック型パーソナルコンピュータ（以下、ノートパソコンという。）、デスクトップ型のパーソナルコンピュータ及びサーバ等の筐体の底面、タブレットコンピュータの筐体等、種々の電子機器の筐体に適用可能である。
【００１５】
以下の実施形態においては、本発明の支持体をノートパソコンの筐体底面に適用した例を用いて説明する。なお、以下の各図においては、同一又は同様の部材には、同一の符号を付している。
【００１６】
（第１実施形態）
図１に示すとおり、ノートパソコン１は、本体２と、本体２の後端にヒンジ接続されて本体２に対して開閉可能な蓋体３とを有する。蓋体３の本体２に対向する面には、各種情報を表示する例えば液晶ディスプレイ４が設けられている。
【００１７】
本体２は、扁平な箱状の筐体５を有する。筐体５は、上面カバー６と底面カバー７とを互いに対向させて取り付けることで構成されている。筐体５の内部には、図示しない基板、ＣＰＵ、メモリ、ＨＤＤやＳＤＤ、バッテリ等（以下、「基板等の内部部品」ともいう。）が収納されている。筐体５の上面カバー６側には、キーボード８やタッチパット９等の入力手段が設けられている。
【００１８】
図２に示すとおり、ノートパソコン１の筐体５の底面カバー７の４隅には、支持体１００、１０２、１０４、１０６（以下、まとめて「支持体１０」という。）がそれぞれ取り付けられている。支持体１００、１０２は、その長手方向が筐体５の左右方向を向くように、底面カバー７の後端側（蓋体３とヒンジ接続する側）に取り付けられている。支持体１０４、１０６は、その長手方向が筐体５の前後方向を向くように、底面カバー７の前端側に取り付けられている。なお、ノートパソコン１における支持体１０の配置数、配置箇所、配置方向等は適宜変更可能である。
【００１９】
支持体１０は、底面カバー７よりも外側に突き出ており、ノートパソコン１を平坦な机等の載置面においた時は支持体１０のみが載置面と接触する。支持体１０は、例えばゴム等の弾性材料で形成されており、ノートパソコン１のゴム脚として機能する。すなわち、支持体１０は、（１）ノートパソコン１の載置面とのがたつきや載置面を傷つけることを抑制する、（２）載置面とノートパソコン１の底面カバー７との間に隙間を作り筐体５内外の空気の循環を行いやすくする、（３）ノートパソコン１の筐体５にかかる衝撃を吸収する等の機能を有する。
【００２０】
次に図３を用いて、支持体１０について詳細に説明する。図３に示すとおり、支持体１０は、第１部材２０、連結部材３０、第２部材４０が長手方向にこの順で連結して構成されている。支持体１０は、ゴム等の弾性材料で形成されており、例えば、溶融したニトリルゴム(ＮＢＲ)を金型に流し込んで一体成形により形成される。すなわち、第１部材２０、連結部材３０及び第２部材４０は、同一の弾性材料で構成された一体成形品である。
【００２１】
第１部材２０は、底面カバー７に設けられた開口に嵌め込む部分であり、開口の大きさに合わせてその大きさが規定されている。第１部材２０は、中央に設けられた長細の凹部２２と、この凹部２２の開口面を囲むようにして設けられた長細のフランジ２４と、略椀状で載置面となる底面２６と、フランジ２４と底面２６との間で第１部材２０の外周にわたって形成された溝２８とから構成されている。底面２６は、第１部材２０の外周面の一部であり、凹部２２の開口面とは反対側に形成されている。
【００２２】
凹部２２の底部中央には、底面２６まで連通するごく小径の孔２２０（連通部）が形成されている。孔２２０は凹部２２に第２部材２０を嵌め込む際に空気を逃がす空気孔として機能するものである。なお、孔２２０の凹部２２内における位置や数は適宜設定可能であるし、孔２２０ではなくスリットなどその他の連通部としてもよい。
【００２３】
連結部材３０は、第１部材２０のフランジ２４の長手方向一端から第２部材４０の長手方向一端まで延びた薄厚の板状体であり、第１部材２０と第２部材４０とを連結する。連結部材３０は、長手方向略中央において容易に折り曲げ可能になっている。第１部材２０と第２部材４０とが連結部材３０により連結されているので、取り付けの際に第１の部材２０と第２の部材４０とを別々に準備する必要はなく、一方の部材を紛失してしまうようなことも防止できる。
【００２４】
第２部材４０は、第１部材２０の凹部２２に嵌め込み可能な部分である。第２部材４０は、第１部材の凹部２２と略同一の相補的形状の凸部４２と、凸部４２上に形成されたリブ４４とから構成されている。
【００２５】
ここで、「略同一の相補的形状」とは、凸部４２を画定する外面形状が凹部２２を画定する内面形状と略同一であることをいい、凸部４２が凹部２２よりも僅かに大きい場合及び僅かに小さい場合を含む。凸部４２が凹部２２よりも僅かに大きい場合は、凸部４２を凹部２２に嵌め込む際に、凹部２２を僅かに押し広げる。これにより、第１部材２０が外方に押し広がるように弾性変形するので、第１部材２０と底面カバー７に設けられた開口７０との嵌め込みがより強固になる。
【００２６】
一方、凸部４２が凹部２２よりも僅かに小さい場合は、第２部材４０の凸部４２を第１部材２０の凹部２２に嵌め込むのが容易になる。
【００２７】
凸部４２の底面４２０の長手方向一端は、連結部材３０と接続されている。この底面４２０は、平坦面であり、連結部材３０及び第１部材２０のフランジ２４と同一平面上に位置している（図３（Ｂ）参照）。すなわち、第２部材４０の凸部４２を第１部材２０の凹部２２に嵌め込んだ際には、底面４２０はフランジ２４とあわせて平坦面を構成する（図６参照）。凸部４２の上面４２２は、第１部材２０の凹部２２の底面にあわせて、中央が膨出したドーム状になっている。
【００２８】
リブ４４は、凸部４２の底面４２０及び上面４２２と平行な面上に、凸部４２の外周にわたって形成されている。リブ４４は、凸部４２からごく僅かに外方に突出する大きさであり、第２部材４０の凸部４２を第１部材２０の凹部２２に嵌め込む際に、第１部材２０の凹部２２に接触してこれを僅かに押し広げる。これにより、第２部材４０の凸部４２が第１部材２０の凹部２２から抜け落ちにくくなる。なお、リブ４４の突出長さが大きい場合は、第１部材２０が外方に押し広がるように弾性変形するので、第１部材２０と底面カバー７との嵌め込みをより強固にすることができる。リブ４４の凸部４２上の配置や数は、適宜設定可能である。
【００２９】
次に図４から図６を用いて、ノートパソコン１の筐体５の底面カバー７に支持体１０を取り付ける方法について説明する。
【００３０】
ここで、図４（Ａ）は、底面カバー７に設けられた開口７０に支持体１０を取り付ける前の状態を示す模式図である。図４（Ｂ）は、この状態を支持体１０の孔２２０を含む短手方向断面で示した模式図である。
【００３１】
図５（Ａ）は、底面カバー７に設けられた開口７０に支持体１０を取り付けた後の状態を示す模式図である。図５（Ｂ）は、この状態を支持体１０の孔２２０を含む短手方向断面で示した模式図である。
【００３２】
図６（Ａ）は、支持体１０の第１部材２０に第２部材４０を嵌めこんだ後の状態を示す模式図であり、図６（Ｂ）は、この状態を支持体１０の孔２２０を含む短手方向断面で示した模式図である。
【００３３】
図４（Ｂ）に示すとおり、底面カバー７には、内側表面７Ａと外側表面７Ｂとを貫通する開口７０が設けられている。内側表面７Ａは、筐体５を組み立てる際に上面カバー６に対向する側の面であり、上面カバー６とともに筐体５の内部空間（基板等の内部部品の収容部）を画定する面である。外側表面７Ｂは、筐体５の底面（載置面）を画定する面である。以下の説明では、底面カバー７の内側表面７Ａ側を「内側」ともいい、外側表面７Ｂ側を「外側」ともいう。
【００３４】
開口７０を画定する縁部７２には、開口の中心軸に向かって突出する突出部７２０と、突出部７２０の内側面に形成される平坦部７２２とが設けられている。
【００３５】
まず、図４（Ａ）及び（Ｂ）に示すとおり、底面カバー７と支持体１０とを準備し、底面カバー７の開口７０の内側に支持体１０を配置する。より具体的には、支持体１０の第１部材２０の凹部２２の開口面が内側を向き、底面２６が外側（開口７０側）を向くように配置する。
【００３６】
この状態で、支持体１０を矢印Ｘの方向に向かって移動させ、第１部材２０を開口７０に押し込む。弾性の第１部材２０は凹部２２を有するので、凹部２２が狭まる方向に弾性変形する。そのため、第１部材２０の溝２８を底面カバー７の突出部７２０に容易に係合させることができる。このとき第１部材２０のフランジ２４は、底面カバー７の平坦部７２２に当接し、支持体１０のさらなる移動が規制される。これにより、第１部材２０の底面カバー７の開口７０に対する位置決めが容易になり、また取り付け後は、支持体１０が底面カバー７の外側に抜け落ちにくくなる。
【００３７】
これにより、支持体１０の第１部材２０が底面カバー７の開口７０に嵌め込まれる（図５（Ａ）及び（Ｂ）参照）。このとき、支持体１０の第１部材２０の底面２６は、底面カバー７の外側に突出する（図５（Ｂ）参照）。
【００３８】
次に、図５（Ａ）に示すとおり、連結部材３０をその中央で折り曲げて、支持体１０の第２部材４０を矢印Ｒの方向に移動させ、第２部材４０の凸部４２を第１部材２０の凹部２２に押し込む。押し込みやすいように第２部材４０を弾性変形させてもよい。
【００３９】
第１部材２０の凹部２２には孔２２０が設けられている。そのため第２部材４０の凸部４２によって押し出される第１部材２０の凹部２２内の空気が孔２２０から逃がされ、押し込みの際の空気の反力が抑制される。そのため、第２部材４０の凸部４２を容易に第１部材２０の凹部２２に嵌めこむことができ、取り付けの作業性を向上させることができる。
【００４０】
支持体１０の第２部材４０が第１部材２０に嵌め込まれると、第２部材４０のリブ４４が、第１部材２０の凹部２２の表面に当接ないしくい込む。これにより、第２部材４０の凸部４２が第１部材２０の凹部２２から抜け落ちにくくなる。なお、リブ４４の突出長さが大きい場合は、第１部材２０が外方に押し広がるように弾性変形するので、第１部材２０と底面カバー７との嵌め込みをより強固にすることができる。以上で、底面カバー７への支持体１０の取り付けが完了する（図６（Ａ）及び（Ｂ）参照）。
【００４１】
底面カバー７への支持体１０の取り付け後は、底面カバー７に基板等の内部部品及び上面カバー６を取り付け、筐体５を組み立てる。
【００４２】
ここで、図６（Ａ）及び（Ｂ）に示すとおり、支持体１０（第１部材２０のフランジ２４、連結部材３０及び第２部材の凸部４２の底面４２０）は、底面カバー７の内側表面７Ａと略同一平面上に位置する。そのため、筐体５の組み立てに際し、基板等の内部部品を支持体１０に当接するようにして配置することができる。この場合、基板等の内部部品によって支持体１０の移動や第２部材４０の第１部材２０に対する移動を規制することができる。これにより、支持体１０が底面カバー７から外れてしまうことや、支持体１０の第２部材４０が第１部材２０から外れてしまうことを抑制できる。
【００４３】
また図６（Ｂ）に示すとおり、第１部材２０の凹部２２と第２部材４０の凸部４２とは略同一の相補的形状であり、第２部材４０の凸部４２は、第１部材２０の凹部２２に隙間なく密着して嵌まる。そのため、底面カバー７への支持体１０の取り付け後（第２部材３０の凸部４２の嵌め込み後）は、溝２８を含む第１部材２０の弾性変形が抑制される。これにより、底面カバー７に嵌め込まれた第１部材２０が開口７０から外れてしまうことを抑制できる。
【００４４】
例えば、ノートパソコン１の筐体５を机等に載置した場合、筐体５の底面から突出する支持体１０の第１部材２０がゴム脚として機能する。このとき、支持体１０の第１部材２０には、筐体５の外側から内側に向かう押圧力がかかる。しかしながら、上述のとおり、溝２８を含む第１部材２０の弾性変形が第２部材の凸部４２により抑制されるので、支持体１０が筐体５の底面カバー７から外れてしまうようなことを防止できる。
【００４５】
（第２実施形態）
次に図７及び図８を用いて、本発明の第２実施形態に係る支持体１０Ａについて説明する。支持体１０Ａは、第１部材の凹部と第２部材の凸部との形状が異なり、この点で、両者が略同一の相補的形状であった第１実施形態の支持体１０とは異なる。支持体１０Ａのその余の構成は、支持体１０の構成と略同一であり、以下では同一の符号、名称を付して、その説明は省略する。
【００４６】
図７に示すとおり、支持体１０Ａの第２部材４０Ａは、第１部材２０の凹部２２とは形状が異なり、凸部４２Ａの上面４２２Ａが、長手方向両端を除き中央内側に陥没した形状をしている（これに対し、第１実施形態の支持体１０においては、図３に示すとおり、第２部材４０の凸部４２の上面４２２は、第１部材２０の凹部２２の底面にあわせて、中央が膨出したドーム状になっている）。そのため、凸部４２Ａに使用する材料は、第１実施形態の凸部４２に比べて軽減することができる。
【００４７】
図８（Ａ）は、第２部材４０Ａの凸部４２Ａを第１部材２０の凹部２２に嵌め込んだ後の状態を示す模式図であり、図８（Ｂ）は、この状態を支持体１０Ａの孔２２０を含む短手方向断面で示した模式図である。
【００４８】
図８（Ｂ）に示すとおり、第２部材４０Ａの凸部４２Ａを第１部材２０の凹部２２に嵌め込んだ際に、凹部２２と凸部４２Ａの上面４２２Ａとの間に空隙部５０が形成される。この空隙部５０は、空気ばねとして機能する。
【００４９】
例えば、ノートパソコン１の筐体５を机等に載置した場合、支持体１０Ａの第１部材２０には、筐体５の外側から内側に向かう押圧力がかかる。このとき、第１部材２０と第２部材４０Ａとの間に空隙部５０が形成されているので、第１部材２０の底面２６は、筐体５の外側から内側に向かう方向及びその逆方向に弾性変形が可能である。これにより、支持体１０Ａの衝撃吸収性が向上する。
【００５０】
なお、この弾性変形によって、支持体１０Ａが筐体５の底面カバー７から外れてしまうようなことはない。図８（Ｂ）に示すとおり、第２部材４０Ａの凸部４２Ａは、凹部２２の、溝２８に対向する位置よりも奥に嵌め込まれている。言い換えると、空隙部５０は、溝２８により構成される平面（点線Ｌ）よりも外側（筐体５の外側よりの位置）に形成されている。そのため、第１部材２０の底面２６が弾性変形した場合でも、第２部材４０Ａの凸部４２Ａが第１部材２０の溝２８の弾性変形を抑制する。これにより、支持体１０Ａが筐体５の底面カバー７から外れてしまうようなことを防止できる。
【００５１】
（変形例）
上記実施形態は、本発明を説明するための例示であり、本発明をその実施の形態のみに限定する趣旨ではなく、本発明は、その要旨を逸脱しない限り、さまざまな変形が可能である。
【００５２】
（Ａ）第１部材及び第２部材の形状
【００５３】
本発明の第１部材及び第２部材の形状は、支持体の取り付け箇所、取り付け数、必要とされる耐荷重性能等に応じて、例えば、直方体、楕円体、円錐体、半球体、球体及びこれらの組合せ等適宜変更可能である。
【００５４】
例えば、図９の変形例にかかる支持体１０Ｂのように、略半球状の凹部２２Ｂを有する略半球状の第１部材２０Ｂと、半球状の凸部４２Ｂを有する第２部材４０Ｂとを、連結部３０Ｂで連結するようにしてもよい。支持体１０Ｂは、第２部材４０Ｂを第１部材２０Ｂに嵌め込んだ状態（支持体１０Ｂを底面カバー７に取り付けた状態）の形状も略半球状となる。
【００５５】
（Ｂ）第２部材の材質
【００５６】
本発明の第２部材の材質は、第１部材と異なっていてもよい。例えば、第１部材よりも剛性が大きい弾性体や、金属等の非弾性体を用いてもよい。この場合、第２部材を第１部材の凹部に嵌め込んだ後の第１部材の弾性変形をさらに抑制することができる。
【００５７】
（Ｃ）空気孔
【００５８】
上記実施形態においては、第１部材２０の凹部２２内に孔２２０を設ける例を説明したが、第１部材の凹部に第２部材の凸部を嵌め込む際に空気を逃がす手段としてはこれに限られるものではない。
【００５９】
例えば、第２部材の凸部の底面と上面とを貫通する孔を設けてもよい。また例えば、第１部材の凹部表面又は第２部材の凸部表面にスリットを設け、第１部材の凹部に第２部材の凸部を嵌め込んだ際に、空気が当該スリットを通って外部に押しだされるようにしてもよい。なお、図９に示した支持体１０Ｂのように、第１部材２０Ｂ及び第２部材４０Ｂに孔を設けなくてもよい。
【００６０】
（Ｄ）連結部材の構成
【００６１】
連結部材の構成も適宜変更可能である。例えば、上記実施形態においては、第１部材２０と第２部材４０とを連結部材３０を介して長手方向に接続する例を説明したが、これに限られるものではない。
【００６２】
例えば、図１０に示す変形例にかかる支持体１０Ｃのように、第１部材２０と第２部材４０とを、連結部材３０Ｃを介して短手方向に連結してもよい。これにより、支持体１０Ｃをコンパクトにする（長手方向の長さを小さくする）ことができる。
【００６３】
また例えば、図１１に示す変形例にかかる支持体１０Ｄのように、連結部材３０Ｄの長手方向略中央に切欠き３２を設けてもよい。切欠き３２により、第１部材の凹部に第２部材の凸部を嵌めこむ際に、連結部材３０Ｄが折り曲げやすくなる。なお、第１部材の凹部に第２部材の凸部を嵌め込んだ際に、この切欠き３２で連結部材３０Ｄが切断されるようにしてもよい。これにより、折り曲がった連結部が筐体５内の他の部材の配置の妨げになるようなことを防止できる。
【００６４】
（Ｅ）連結部材の収容部
【００６５】
第１部材の凹部内や第２部材の凸部に連結部材の収容部を設け、第２部材の凸部を第１部材の凹部にはめ込んだ際に、連結部材の一部又は全部を収容するようにしてもよい。これにより、支持体を筐体に取り付けた際に、連結部材が筐体の内側に向かってはみ出す部分を減らす又はなくすことができ連結部材が筐体内の他の部材の配置の妨げになるようなことを防止できる。
【００６６】
（Ｆ）第１部材と第２部材を別体に設ける構成
【００６７】
上記実施形態においては、第１部材と第２部材とを連結部材で接続する例を説明したが、支持体に連結部材を設けずに、第１部材と第２部材とをそれぞれ別体として設けてもよい。
【００６８】
（Ｇ）他の接合手段との併用
【００６９】
上記実施形態においては、接着剤等を使用せずに、支持体を筐体の開口に嵌め込んで取り付ける例を説明したが、支持体を筐体に嵌め込む際に、第１部材の溝や凹部、第２部材の凸部等に接着剤等の他の接合手段を併用して用いてもよい。
【符号の説明】
【００７０】
１……ノートパソコン
２……本体
３……蓋体
４……液晶ディスプレイ
５……筐体
６……上面カバー
７……底面カバー、７Ａ……内側表面、７Ｂ……外側表面、７０……開口、７２……縁部、７２０……突出部、７２２……平坦部
８……キーボード
９……タッチパット
１０、１００、１０２、１０４、１０６、１０Ａ、１０Ｂ、１０Ｃ、１０Ｄ……支持体、
２０、２０Ｂ……第１部材、２２、２２Ｂ……凹部、２２０……孔、２４……フランジ、２６……底面、２８……溝
３０、３０Ｂ、３０Ｃ、３０Ｄ……連結部材、３２……切欠き
４０、４０Ａ、４０Ｂ……第２部材、４２、４２Ａ、４２Ｂ……凸部、４２０……底面、４２２、４２２Ａ……上面、４４……リブ
５０……空隙部
【図１】
2018046111.tif 000003
【図２】
2018046111.tif 000004
【図３】
2018046111.tif 000005
【図４】
2018046111.tif 000006
【図５】
2018046111.tif 000007
【図６】
2018046111.tif 000008
【図７】
2018046111.tif 000009
【図８】
2018046111.tif 000010
【図９】
2018046111.tif 000011
【図１０】
2018046111.tif 000012
【図１１】
2018046111.tif 000013